(57)【要約】【課題】  従来、貯湯タンク内に配備したヒーターと、ソーラーパネルを配管で連結し、貯湯タンクに設けた温度検知器で、設定温度より低い場合は、補助熱源機を稼動し、設定温度に回復する構造であり、貯湯タンクに温度検知器をセットすることで、貯湯タンク内の熱湯の維持管理を図る。しかし、貯湯タンクの熱湯の管理を主体とするものであり、省エネルギー、熱湯・上水の有効利用に関しての解決策にはなっていないと考えられる。【解決手段】  本発明は、ソーラーによる熱湯路と、温水装置からの給水及び給湯路とを、それぞれ湯水混合水栓装置に接続し、湯水混合水栓装置からの混合湯を利用し、シャワー専用として使用する構成とした浴室温水装置であって、熱湯路からの熱湯温度が低下し、常温となった時に、常温水と、温水装置からの給水及び給湯路を介して、熱湯を供給する構成とした浴室温水装置である。因って、省エネルギー、又は熱湯・上水の有効利用となる。【選択図】      図１
2011007421.tif 000002
【特許請求の範囲】
【請求項１】
ソーラーによる熱湯路と、温水装置からの給水及び給湯路との一方、又は双方に減圧弁を付設するとともに、この熱湯路と給水及び給湯路を、それぞれ湯水混合水栓装置に接続し、この湯水混合水栓装置からの混合湯を利用し、シャワー専用として使用する構成とした浴室温水装置であって、
前記熱湯路からの熱湯温度が低下し、常温となった時に、この常温水と、前記温水装置からの給水及び給湯路を介して、熱湯を供給する構成とした浴室温水装置。
【請求項２】
ソーラーによる熱湯路と、温水装置からの給水及び給湯路とに、それぞれ減圧弁を付設するとともに、この熱湯路と給水及び給湯路を、それぞれ湯水混合水栓装置に接続し、この湯水混合水栓装置からの混合湯を利用し、シャワー専用として使用する構成とした浴室温水装置であって、
前記熱湯路からの熱湯温度が低下し、最低水準となった時に、この常温水と、前記温水装置からの給水及び給湯路を介して、熱湯を供給するとともに、前記湯水混合水栓装置の供給口に、前記熱湯路と給水及び給湯路を差し替える構成とした浴室温水装置。
【請求項３】
請求項１、又は請求項２に記載の浴室温水装置であって、
前記ソーラーによる熱湯路と、温水装置からの給水及び給湯路とに、それぞれ設けた減圧弁を調整し、前記湯水混合水栓装置の圧力を一定に保持する構成とした浴室温水装置。
【請求項４】
請求項２に記載の浴室温水装置であって、
前記湯水混合水栓装置の供給口に、前記熱湯路と給水及び給湯路を差し替える構成とし、この湯水混合水栓装置の操作を一定の取扱いとする構成とした浴室温水装置。
【発明の詳細な説明】
【技術分野】
【０００１】
本発明は、シャワー専用の浴室温水装置に関する。
【背景技術】
【０００２】
従来、室内温水装置は、ソーラーによる熱湯路と、上水との混合により、浴槽に誘導したり、又はシャワーとして利用する方法（ソーラー方式とする）と、温水装置（ガス給湯装置）からの給水及び給湯路により、浴槽に誘導したり、又はシャワーとして利用する方法（ガス給湯方式）とが一般的であった。従って、ソーラー方式では、雨天、又は曇天等の如く、熱湯が生成されない場合には、使用の中止、又はガス給湯方式に変更する必要があり、面倒であること、又は使用を間違うと、トラブルが発生すること、等の問題があり、改良が望まれる処である。
【０００３】
一方、ガス給湯方式は有効、かつ何時でも使用ができ重宝するが、経費が掛かり、その解決が望まれること、また、地球環境等の面において、何らかの取扱いが要望されることは、明らかである。
【０００４】
これらの要望に応え得るシャワー専用の浴室温水装置に関する先行文献を調査したので、その一例を説明する。
【０００５】
文献（１）は、特開平５−６２２９号の「湯水混合水栓装置」であって、この発明は、給湯路の湯と、給水路の水とを混合調節する混合比調整手段と、その圧力を検出する圧力検出手段、並びに温度検出手段を備え、第一制御部と、第二制御部でなる制御手段を設けた湯水混合水栓装置において、この制御手段を介して、圧力変動によって生じる温度変化を解消するように、混合比調整手段を調整する構造であり、混合湯温度の目標温度を、常時、キープするように調整、かつ制御することを意図する。しかし、この発明は、目標温度に対して、熱湯と上水の供給量を制御し、最適な浴室温度を確保することであり、省エネルギーや、ソーラーの有効な利用を図る構造とはなっていない。
【０００６】
また、文献（２）は、特開平１１−３７４８８号の「水道直圧式給湯機」であって、この発明は、ソーラー水と水道水を混合する混合弁を水道直圧式給湯機に設け、混合弁の２次側にサーミスターを備えおり、このサーミスターにより、混合水温度が台所リモコンの給湯温度設定スイッチ、及び浴室リモコンの湯張り温度スイッチと、混合弁とを制御し、それぞれの混合水温度を、希望する数値に維持する構造であり、ソーラー水と、上水とを有効に混合するか、又はソーラー水が低温の場合には、バーナーの燃焼で、高温にして、浴槽に供給することを特徴としており、システムコストの低廉化と、安全性の向上とを図ることを意図する。しかし、この発明は、ソーラー水と上水を、水道直圧式給湯機内に装備する構造であり、装置が大型化すること、既設のソーラー水と上水とを混合する装置には、採用できない構造である。また、この水道直圧式給湯機を設置する必要が有り、汎用性の面で、改良の余地が考えられる。
【０００７】
さらに、文献（３）は、特開２０００−８１２４５の「太陽熱給湯システム」であって、この発明は、貯湯タンク内に配備したヒーターと、ソーラーパネルを配管で連結し、この貯湯タンクに設けた温度検知器（報知ランプ）で、設定温度より低いと判断した場合には、補助熱源機を稼動し、設定温度に回復する構造であり、この貯湯タンクに温度検知器をセットすることで、この貯湯タンク内の熱湯の維持管理を図ることを意図する。しかし、この発明は、貯湯タンクの熱湯の管理を主体とするものであって、省エネルギー、又は熱湯・上水との有効利用を図ること、等に関しての解決策にはなっていないと考えられる。
【０００８】
【特許文献１】特開平５−６２２９号
【特許文献２】特開平１１−３７４８８号
【特許文献３】特開２０００−８１２４５
【発明の概要】
【発明が解決しようとする課題】
【０００９】
前記文献（１）〜文献（３）は、その発明が解決しようとする課題は、解消されていると考えられる。しかし、本発明が意図する、下記の要件に関しては、具体的な開示がなかった。
【００１０】
本発明は、次のような特徴を発揮する。
［１］  湯水混合水栓装置からの混合湯を、シャワー専用として使用することで、天候に左右されず、少なくとも、４〜５日程度は、僅かな追焚きで、熱湯を使用できる。
［２］  ソーラーによる太陽エネルギーと、温水装置のガス燃焼による補助燃焼手段とを、個別、かつ併用して利用することで、省エネルギーと、速やかな熱湯の生成を図る。
［３］  ソーラーによる熱湯路と、温水装置からの給水及び給湯路とに、それぞれ減圧弁を付設することで、湯水混合水栓装置内の圧力を一定に保持し、この湯水混合水栓装置からの混合湯のスムーズ、かつ確実な供給を図る。
【課題を解決するための手段】
【００１１】
請求項１の発明は、前記［１］〜［３］の特徴を達成することを意図する。
【００１２】
請求項１は、ソーラーによる熱湯路と、温水装置からの給水及び給湯路とに、それぞれ減圧弁を付設するとともに、この熱湯路と給水及び給湯路を、それぞれ湯水混合水栓装置に接続し、この湯水混合水栓装置からの混合湯を利用し、シャワー専用として使用する構成とした浴室温水装置であって、
前記熱湯路からの熱湯温度が低下し、常温となった時に、この常温水と、前記温水装置からの給水及び給湯路を介して、熱湯を供給する構成とした浴室温水装置である。
【００１３】
請求項２の発明は、前記［１］〜［３］の特徴を達成すること、また、この特徴を達成するに最適な、差し替え手段を提供することを意図する。
【００１４】
請求項２は、ソーラーによる熱湯路と、温水装置からの給水及び給湯路との一方、又は双方に減圧弁を付設するとともに、この熱湯路と給水及び給湯路を、それぞれ湯水混合水栓装置に接続し、この湯水混合水栓装置からの混合湯を利用し、シャワー専用として使用する構成とした浴室温水装置であって、
前記熱湯路からの熱湯温度が低下し、最低水準となった時に、この常温水と、前記温水装置からの給水及び給湯路を介して、熱湯を供給するとともに、前記湯水混合水栓装置の供給口に、前記熱湯路と給水及び給湯路を差し替える構成とした浴室温水装置である。
【００１５】
請求項３の発明は、前記［１］〜［３］の特徴を達成すること、また、このソーラーの熱湯路と、温水装置の給水及び給湯路とに、それぞれ減圧弁を設け、この湯水混合水栓装置の圧力を一定に保持し、吐出温湯量を制御可能とすることを意図する。
【００１６】
請求項３は、請求項１、又は請求項２に記載の浴室温水装置であって、
前記ソーラーによる熱湯路と、温水装置からの給水及び給湯路とに、それぞれ設けた減圧弁を調整し、前記湯水混合水栓装置の圧力を一定に保持する構成とした浴室温水装置である。
【００１７】
請求項４の発明は、前記［１］〜［３］の特徴を達成すること、また、この湯水混合水栓装置の操作の一定の取扱いができる構造を提供することを意図する。
【００１８】
請求項４は、請求項２に記載の浴室温水装置であって、
前記湯水混合水栓装置の供給口に、前記熱湯路と給水及び給湯路を差し替える構成とし、この湯水混合水栓装置の操作を一定の取扱いとする構成とした浴室温水装置である。
【発明の効果】
【００１９】
請求項１の発明は、ソーラーによる熱湯路と、温水装置からの給水及び給湯路との一方、又は双方に減圧弁を付設するとともに、熱湯路と給水及び給湯路を、それぞれ湯水混合水栓装置に接続し、湯水混合水栓装置からの混合湯を利用し、シャワー専用として使用する構成とした浴室温水装置であって、
熱湯路からの熱湯温度が低下し、常温となった時に、常温水と、温水装置からの給水及び給湯路を介して、熱湯を供給する構成とした浴室温水装置である。
【００２０】
従って、請求項１は、下記の特徴を有する。
［１］  湯水混合水栓装置からの混合湯を、シャワー専用として使用することで、天候に左右されず、少なくとも、４〜５日程度は、僅かな追焚きで、熱湯を使用できる。
［２］  ソーラーによる太陽エネルギーと、温水装置のガス燃焼による補助燃焼手段とを、個別、かつ併用して利用することで、省エネルギーと、速やかな熱湯の生成が図れる。
［３］  ソーラーによる熱湯路と、温水装置からの給水及び給湯路とに、それぞれ減圧弁を付設することで、湯水混合水栓装置内の圧力を一定に保持し、この湯水混合水栓装置からの混合湯のスムーズ、かつ確実な供給が図れる。
【００２１】
請求項２の発明は、ソーラーによる熱湯路と、温水装置からの給水及び給湯路とに、それぞれ減圧弁を付設するとともに、熱湯路と給水及び給湯路を、それぞれ湯水混合水栓装置に接続し、湯水混合水栓装置からの混合湯を利用し、シャワー専用として使用する構成とした浴室温水装置であって、
熱湯路からの熱湯温度が低下し、最低水準となった時に、常温水と、温水装置からの給水及び給湯路を介して、熱湯を供給するとともに、湯水混合水栓装置の供給口に、熱湯路と給水及び給湯路を差し替える構成とした浴室温水装置である。
【００２２】
従って、請求項２は、前記［１］〜［３］の特徴を達成できることと、また、この特徴を達成するに最適な、差し替え手段を提供できること、等の特徴を有する。
【００２３】
請求項３の発明は、請求項１、又は請求項２に記載の浴室温水装置であって、
ソーラーによる熱湯路と、温水装置からの給水及び給湯路とに、それぞれ設けた減圧弁を調整し、湯水混合水栓装置の圧力を一定に保持する構成とした浴室温水装置である。
【００２４】
従って、請求項３は、前記［１］〜［３］の特徴を達成できること、また、このソーラーの熱湯路と、温水装置の給水及び給湯路とに、それぞれ減圧弁を設け、この湯水混合水栓装置の圧力を一定に保持し、吐出温湯量を制御可能となること、等の特徴を有する。
【００２５】
請求項４の発明は、請求項２に記載の浴室温水装置であって、
湯水混合水栓装置の供給口に、熱湯路と給水及び給湯路を差し替える構成とし、湯水混合水栓装置の操作を一定の取扱いとする構成とした浴室温水装置である。
【００２６】
従って、請求項４は、前記［１］〜［３］の特徴を達成できること、また、この湯水混合水栓装置の操作の一定の取扱いができる構造を提供できること、等の特徴を有する。
【図面の簡単な説明】
【００２７】
【図１】本発明の全体の構成図
【図２−１】本発明のソーラーと減圧弁付き温水装置と、湯水混合水栓装置との仕組みを示した概念図
【図２−２】本発明の減圧弁付きソーラー・温水装置と、湯水混合水栓装置との仕組みを示した概念図
【図３】本発明のＡルートが熱湯の状態の流れを示したフローチャート
【図４】本発明のＡルートの熱湯が低下した状態の流れを示したフローチャート
【図５】本発明のＡルートの熱湯が最低水準の状態の流れを示したフローチャート
【発明を実施するための形態】
【００２８】
建屋１の屋根１００には、ソーラーパネル２（集熱器）が複数基設置されている。このソーラーパネル２の熱湯路２００（配管）には、減圧弁２０１が付設されている。また、室内１０２には、上水と連結する温水装置３（ガス燃焼器を備えた補助熱源機）が設けられている。この温水装置３の給水及び給湯路３００（配管）には、減圧弁３０１が付設されている。尚、熱湯路２００と、温水装置３からの給水及び給湯路３００との一方、又は双方に減圧弁２０１、３０１を付設する構造を詳述すると、この一方は、図２−１に示した構造であり、給水及び給湯路３００に減圧弁３０１を付設する構造であり、また、双方は、図２−１に示した構造であり、熱湯路２００と、給水及び給湯路３００の双方に減圧弁２０１、３０１を付設する構造である。このように、給水及び給湯路３００に減圧弁３０１を付設する構造は、後述する湯水混合水栓装置において、温水装置３からの上水の圧力を減圧し、ソーラーパネル２からの圧力と調整するためである。また、双方に付設する構造は、後述するＡルートとＢルートを差し替え操作する際に、後述する湯水混合水栓装置において、温水装置３からの上水の圧力を減圧し、ソーラーパネル２からの圧力と調整するためである。そして、この双方に設ける場合は、操作の簡易性であり、所謂、減圧弁２０１を、減圧弁３０１の代替として使用し、給水及び給湯路３００のみを差し替える構造である。そして、また、図２−１に示した構造において、給水及び給湯路３００と減圧弁３０１を同時に移動する構造であれば、一方のみの例も可能である。
【００２９】
前記ソーラーパネル２に配備した集熱配管５は、貯湯タンク６内に至り、再度、ソーラーパネル２にリターンする。そして、この集熱配管５には、熱媒体が充填されている。従って、集熱配管５と貯湯タンク６内の水との熱交換が行なわれ、この水が熱湯に変換される。尚、このソーラーパネル２から、熱湯路２００と減圧弁２０１を介して熱湯が流れるルートをＡルートとする。また、この貯湯タンク６には、温度表示部６００、センサー（図示せず）が設けられている。さらに、この貯湯タンク６には、給水管６０１が付設されている。
【００３０】
また、前記温水装置３から、給水及び給湯路３００と減圧弁３０１を介して、上水、又は温水（熱湯）が流れるルートをＢルートとする。
【００３１】
図中８は熱湯と水の切替をする摘み（後述する）を備えた湯水混合水栓装置で、この湯水混合水栓装置８には、二本の導入管路８００、８０１（給水口）と、この導入管路８００、８０１からの熱湯、又は上水、温水をコントロールする摘み８００ａ、８０１ａを備えている。また、８０２は、混合湯の排出用の吐出管路である。この導入管路８００、８０１には、それぞれ熱湯路２００と、給水及び給湯路３００がそれぞれ接続されており、この熱湯路２００と、給水及び給湯路３００より、摘み８００ａ、８０１ａの調整で、定量の熱湯、又は上水、温水が導入される。この導入の際に、それぞれの減圧弁２０１、３０１の調整で、所定の圧力で供給され、かつ、圧力の均一化を図ることで、均一な混合湯を生成する。従って、シャワー使用でも、温度差が少なく、気持ちよく、かつ安心して使用できること、また、適度９の湯圧で、力強く噴射され、洗浄効率と、場合により、マッサージ効果が図れるものと考えられる。
【００３２】
図中１０は浴槽を示す。
【００３３】
以下、本発明の使用の一例を、図３〜図５を基に説明する。
【００３４】
先ず、図３では、「本発明のＡルートが熱湯の状態の流れを示したフローチャート」であり、そのＳＴを説明する。ＳＴ−１は、スタートであり、ソーラーパネル２では、熱湯が生成されており、この熱湯はＡルートで、また、この熱湯に混合する水はＢルートで、それぞれ、ＳＴ−２の如く、湯水混合水栓装置８に到る。そして、この湯水混合水栓装置８で生成された混合湯で、ＳＴ−３の如く、シャワーによる入浴を図る。この入浴が終了することで、ＳＴ−４の如く、この例におけるシステムが終了である。このように、シャワーによる入浴の場合には、Ａルートによる熱湯の使用量が少なく、２日程度の天候不順で、ソーラーパネル２による熱湯が生成されない状況でも、熱湯のみで、シャワーによる入浴が可能となり、省エネルギーであり、また、熱源・コストの削減化と、環境維持に大いに役立つこと、さらにエコ生活が達成されること、等の実益がある。尚、このシャワーによる入浴の場合には、人数と、熱湯使用量がポイントとなる。
【００３５】
次に、図４では、「本発明のＡルートの熱湯が低下した状態の流れを示したフローチャート」であり、そのＳＴを説明する。ＳＴ−１０は、スタートであり、ソーラーパネル２では、熱湯が生成されるが、天候不順か、前日の使用等で、貯湯タンク６の熱湯温度が低下し、常温水（略４０°〜５０°程度）となった場合は、この常温水を、Ａルートで送り、また、この常温水に混合する上水（又は濾過した雨水は、熱湯することで、殺菌し、使用する）はＢルートで、かつ、上水を温水装置３で温めて（追炊きして）、適度の温水とし、それぞれ、ＳＴ−２０の如く、湯水混合水栓装置８に到る。そして、この湯水混合水栓装置８で生成された混合湯で、ＳＴ−３０の如く、シャワーによる入浴を図る。この入浴が終了することで、ＳＴ−４０の如く、この例におけるシステムが終了である。このように、シャワーによる入浴の場合には、Ａルートによる熱湯の使用量が少なく、３〜５日の天候不順、又は冬季等で、ソーラーパネル２による熱湯が生成されない状況でも、熱湯と、上水の温めで、シャワーによる入浴が可能となり、省エネルギーが図れ、また、熱源・コストの削減化に役立ち、環境維持に役立つこと、さらにエコ生活に寄与できること、等の実益がある。その他は、前述の例に準ずる。
【００３６】
また、図５では、「本発明のＡルートの熱湯が最低水準の状態の流れを示したフローチャート」であり、そのＳＴを説明する。ＳＴ−１００は、スタートであり、ソーラーパネル２では、熱湯が生成されるが、天候不順か、前日の使用等で、貯湯タンク６の熱湯温度が低下して最低水準（熱湯が最低水準で、ぬるま湯程度「略１０°〜２０°程度）」、以下、ぬるま湯とする）となった状態では、このぬるま湯を、Ａルートで送り、また、このぬるま湯に混合する上水はＢルートで、かつ、上水（又は濾過した雨水は、熱湯することで、殺菌し、使用する）を、温水装置３で温めて（追炊きして）、適度の温水とし、しかも、ＡルートとＢルートの湯水混合水栓装置８の導入管路８００、８０１への接続を差し替え（切換え）、それぞれ、ＳＴ−２００の如くなり、この湯水混合水栓装置８に到る。この切換の目的は、前述した給水及び給湯路３００と減圧弁３０１との取扱いの他に、例えば、ぬるま湯と温水との操作間違の回避と、熱傷回避等を図ること、又は通常の慣習を尊重すること、等にある。そして、この湯水混合水栓装置８で生成された混合湯で、ＳＴ−３００の如く、シャワーによる入浴を図る。そして、この入浴が終了することで、ＳＴ−４００の如く、この例におけるシステムが終了である。このように、シャワーによる入浴の場合には、Ｂルートによる温水を活用し、長期天候不順・冬季の天候不順で、ソーラーパネル２による熱湯が生成されない状況でも、温水と、ぬるま湯の利用で、シャワーによる入浴が可能となり、重宝すること、幾分でも、省エネルギーが図れ、また、同様に、熱源・コストの削減化に役立ち、かつ環境維持に役立つこと、さらにエコ生活に寄与できること、等の実益がある。その他は、前述の例に準ずる。
【００３７】
尚、図示しないが、図５に示した、ＡルートとＢルートの差し替え操作に変わり、切替弁を介して、ぬるま湯と温水の流れを変更することも可能であり、操作の簡便性と、確実性が図れる。また、前記と同じ効果が期待できる。そして、この操作は、図示しない制御盤か、自動センサー、又は切替スイッチ等を利用する。
【００３８】
また、図中９は、昼間等の太陽エネルギーを蓄熱することができ、内部に蓄熱材を詰めた蓄熱タンクであり、この蓄熱タンク９を貯湯タンク６に付設することにより、深夜電力の有効活用、天候不順等による熱湯温度の低下を回避、また、さらなる熱源・コストの削減化と、環境維持に大いに役立つこと、さらにエコ生活が達成されること、等の実益が向上する。
【符号の説明】
【００３９】
１          建屋
１００      屋根
２          ソーラーパネル
２００      熱湯路
２０１      減圧弁
３          温水装置
３００      給水及び給湯路
３０１      減圧弁
５          集熱配管
６          貯湯タンク
６００      温度表示部
６０１      給水管
８          湯水混合水栓装置
８００      導入管路
８００ａ    摘み
８０１      導入管路
８０１ａ    摘み
８０２      吐出管路
９          蓄熱タンク
１０        浴槽
【図１】
2011007421.tif 000003
【図２−１】
2011007421.tif 000004
【図２−２】
2011007421.tif 000005
【図３】
2011007421.tif 000006
【図４】
2011007421.tif 000007
【図５】
2011007421.tif 000008